(57)【要約】【課題】現場での設置作業を容易化する。【解決手段】既設縦枠４１の内周に改装用の新設縦枠１３を設置することによって構成し、新設縦枠１３の室外側に位置する部分から見付け方向に延在するカバー部材６０を配設することにより、既設縦枠４１を覆うようにした建具であって、カバー部材６０は、互いに延在長さが異なる短辺部６１及び長辺部６２を有し、短辺部６１及び長辺部６２のいずれか一方を介して新設縦枠１３に取り付けた場合に他方が外周に向けて見付け方向に延在するものであり、新設縦枠１３には、見込み面よりも外周となる位置に、カバー部材６０の短辺部６１及び長辺部６２に当接することによって新設縦枠１３に対するカバー部材６０の見込み方向に沿った位置を規定する第１位置決め部１３ｂ及び第２位置決め部１３ｃが設けられ、カバー部材６０の長辺部６２には、第１位置決め部１３ｂに対応する部位に逃げ部６２ａが設けられている。【選択図】図２
2018178575.tif 000002
【特許請求の範囲】
【請求項１】
既設枠の内周に改装用の新設枠を設置することによって構成し、前記新設枠の室外側に位置する部分から外周に向けて見付け方向に延在するカバー部材を配設することにより、前記既設枠を覆うようにした建具であって、
前記カバー部材は、互いに延在長さが異なる短辺部及び長辺部を有し、これら短辺部及び長辺部のいずれか一方を介して前記新設枠の見込み面に取り付けた場合に他方が外周に向けて見付け方向に延在するものであり、
前記新設枠には、見込み面よりも外周となる位置に、前記カバー部材の短辺部及び長辺部に当接することによって前記新設枠に対する前記カバー部材の見込み方向に沿った位置を規定する位置決め部が設けられ、前記カバー部材の長辺部には、前記位置決め部に対応する部位に逃げ部が設けられていることを特徴とする建具。
【請求項２】
前記位置決め部は、前記短辺部の先端縁部に当接する第１位置決め部と、前記長辺部の先端縁部に当接する第２位置決め部とを有して構成され、
前記逃げ部は、前記長辺部の先端縁部を前記第２位置決め部に当接させた場合に前記第１位置決め部に対応する部位に設けられていることを特徴とする請求項１に記載の建具。
【請求項３】
前記位置決め部には、前記短辺部及び前記長辺部に係合することにより、前記新設枠に対して見付け方向への移動を制限する係合部が設けられていることを特徴とする請求項１に記載の建具。
【請求項４】
前記第２位置決め部は、前記第１位置決め部よりも外周側に設けられていることを特徴とする請求項２に記載の建具。
【請求項５】
前記第１位置決め部及び前記第２位置決め部は、前記新設枠の外周側で互いに等しい位置に設けられていることを特徴とする請求項２に記載の建具。
【請求項６】
前記長辺部の先端縁部には、前記短辺部の延在方向に向けて延在する屈曲部が設けられていることを特徴とする請求項１に記載の建具。
【請求項７】
前記長辺部には、前記短辺部からの距離が前記短辺部の延在長さよりも短い位置に切り取り用の溝が設けられていることを特徴とする請求項１に記載の建具。
【発明の詳細な説明】
【技術分野】
【０００１】
本発明は、既設枠の内周に改装用の新設枠を設置することによって構成される建具に関するものである。
【背景技術】
【０００２】
既に建築物に設置された建具を改装する場合には、既設枠を残した状態でその内周に新設枠を設置する方法がある。こうした改装方法によれば、既設枠を取り外す作業が不要となるため、工期を短縮できるとともに改装費用を抑えることが可能となる。通常、この種の改装方法では、新設枠からカバー部材を延在させ、既設枠を覆うことで意匠性を向上させるようにしている（例えば、特許文献１参照）。
【先行技術文献】
【特許文献】
【０００３】
【特許文献１】特開２０１３−２２４５２１号公報
【発明の概要】
【発明が解決しようとする課題】
【０００４】
ところで、改装対象となる建具の設置状況は様々であり、既設枠の近くに外壁が突出していたり、既設枠に面格子が取り付けられている場合もある。こうした様々な設置状況の建具に対しては、カバー部材によって覆うカバー寸法も互いに相違することになる。このため従来では、予め切り取り用の溝を複数設けたカバー部材が適用されている。すなわち、改装現場においてカバー部材を溝に沿って適宜切除することにより、外壁や面格子との接触を防止しつつ、既設枠を覆うようにしている。しかしながら、現場においてカバー部材を切除しながら行う調整作業は必ずしも容易とはいえない。
【０００５】
本発明は、上記実情に鑑みて、現場での設置作業を容易化することのできる建具を提供することを目的とする。
【課題を解決するための手段】
【０００６】
上記目的を達成するため、本発明に係る建具は、既設枠の内周に改装用の新設枠を設置することによって構成し、前記新設枠の室外側に位置する部分から外周に向けて見付け方向に延在するカバー部材を配設することにより、前記既設枠を覆うようにした建具であって、前記カバー部材は、互いに延在長さが異なる短辺部及び長辺部を有し、これら短辺部及び長辺部のいずれか一方を介して前記新設枠の見込み面に取り付けた場合に他方が外周に向けて見付け方向に延在するものであり、前記新設枠には、見込み面よりも外周となる位置に、前記カバー部材の短辺部及び長辺部に当接することによって前記新設枠に対する前記カバー部材の見込み方向に沿った位置を規定する位置決め部が設けられ、前記カバー部材の長辺部には、前記位置決め部に対応する部位に逃げ部が設けられていることを特徴とする。
【０００７】
この発明によれば、カバー部材が短辺部及び長辺部を有しているため、これらを選択して新設枠に取り付けることにより、切除作業を行うことなく２種類のカバー寸法に対応することが可能となる。
【０００８】
また本発明は、上述した建具において、前記位置決め部は、前記短辺部の先端縁部に当接する第１位置決め部と、前記長辺部の先端縁部に当接する第２位置決め部とを有して構成され、前記逃げ部は、前記長辺部の先端縁部を前記第２位置決め部に当接させた場合に前記第１位置決め部に対応する部位に設けられていることを特徴とする。
【０００９】
この発明によれば、長辺部の外表面に位置決め部に当接するための突出部を設ける必要がなくなり、長辺部を用いて既存枠を覆う際の外観品質が損なわれる事態を防止することができる。
【００１０】
また本発明は、上述した建具において、前記位置決め部には、前記短辺部及び前記長辺部に係合することにより、前記新設枠に対して見付け方向への移動を制限する係合部が設けられていることを特徴とする。
【００１１】
この発明によれば、新設枠からカバー部材に向けてネジを螺合する際にカバー部材の見付け方向への移動が制限されるため、ネジの螺合作業を容易に行うことができる。
【００１２】
また本発明は、上述した建具において、前記第２位置決め部は、前記第１位置決め部よりも外周側に設けられていることを特徴とする。
【００１３】
この発明によれば、長辺部を第２位置決め部に当接させる作業が容易、かつ確実となる。
【００１４】
また本発明は、上述した建具において、前記第１位置決め部及び前記第２位置決め部は、前記新設枠の外周側で互いに等しい位置に設けられていることを特徴とする。
【００１５】
この発明によれば、第２位置決め部を第１位置決め部よりも長く構成していないため、部材コストの点で有利となる。
【００１６】
また本発明は、上述した建具において、前記長辺部の先端縁部には、前記短辺部の延在方向に向けて延在する屈曲部が設けられていることを特徴とする。
【００１７】
この発明によれば、長辺部によって既存枠を覆った際にカバー部材の先端縁が外部に露出する事態を防止できる。
【００１８】
また本発明は、上述した建具において、前記長辺部には、前記短辺部からの距離が前記短辺部の延在長さよりも短い位置に切り取り用の溝が設けられていることを特徴とする。
【００１９】
この発明によれば、短辺部よりもさらに短いカバー寸法が必要な場合には、長辺部を切除することによって対応することが可能である。
【発明の効果】
【００２０】
本発明によれば、カバー部材が短辺部及び長辺部を有しているため、これらを選択して新設枠に取り付けることにより、切除作業を行うことなく２種類のカバー寸法に対応することが可能となる。これにより、現場での設置作業を容易化することができる。
【図面の簡単な説明】
【００２１】
【図１】本発明の実施の形態１である建具を室外側から見た図である。
【図２】図１に示した建具の一部を省略した横断面図である。
【図３】図１に示した建具の縦枠とカバー部材との関係を示したもので、（ａ）は短辺部を介してカバー部材を縦枠に取り付けた横断面図、（ｂ）は長辺部を介してカバー部材を縦枠に取り付けた横断面図である。
【図４】図１に示したカバー部材及び縦枠を異なる既設建具に適用して改修した建具の要部を示す横断面図である。
【図５】本発明の実施の形態２である建具の要部横断面図である。
【図６】図５に示した建具の縦枠とカバー部材との関係を示したもので、（ａ）は短辺部を介してカバー部材を縦枠に取り付けた横断面図、（ｂ）は長辺部を介してカバー部材を縦枠に取り付けた横断面図である。
【図７】図５に示したカバー部材及び縦枠を異なる既設建具に適用して改修した建具の要部を示す横断面図である。
【図８】本発明の実施の形態３である建具の要部横断面図である。
【図９】図８に示した建具の縦枠とカバー部材との関係を示したもので、（ａ）は短辺部を介してカバー部材を縦枠に取り付けた横断面図、（ｂ）は長辺部を介してカバー部材を縦枠に取り付けた横断面図である。
【図１０】図８に示したカバー部材及び縦枠を異なる既設建具に適用して改修した建具の要部を示す横断面図である。
【発明を実施するための形態】
【００２２】
以下、添付図面を参照しながら本発明に係る建具の好適な実施の形態について詳細に説明する。
【００２３】
（実施の形態１）
図１及び図２は、本発明の実施の形態１である建具を示したものである。ここで例示する建具は、建築物の開口に残された既設建具の枠体に対してその内周に設置される改装用のものである。以下においては便宜上、建築物に残された既設建具の構成要素については「既設」という用語を付加する一方、改装用となる新設建具の構成要素については「新設」という用語を付加して両者を区別することとする。
【００２４】
新設建具は、新設枠体１０に対して２枚の新設障子２０をスライド可能に配設した引き違い窓と称されるものである。新設枠体１０は、新設上枠１１、新設下枠１２及び左右の新設縦枠１３を四周枠組みすることによって構成したものである。新設障子２０は、それぞれガラス等の面材２１の四周に上框２２、下框２３及び左右の縦框２４を装着することによって構成したものである。新設枠体１０を構成する枠１１，１２，１３及び新設障子２０の框２２，２３，２４は、それぞれアルミニウム合金等の金属によって成形した押し出し形材である。
【００２５】
既設建具は、図には明示していないが、新設建具と同様、既設枠体４０に対して２枚の既設障子（図示せず）をスライド可能に配設した引き違い窓と称されるものである。既設障子（図示せず）については、既に既設枠体４０から取り外した状態にある。既設枠体４０は、既設上枠（図示せず）、既設下枠（図示せず）及び左右の既設縦枠４１を四周枠組みすることによって構成したものである。既設上枠（図示せず）、既設下枠（図示せず）及び左右の既設縦枠４１は、それぞれがアルミニウム合金等の金属によって成形した押し出し形材である。以下、既設縦枠４１、新設縦枠１３及びこれらの周辺部分について詳述し、併せて本願発明の特徴部分について詳述する。なお、既設縦枠４１及び新設縦枠１３は、外周側となる主要部がいずれも左右対称に構成されたものであるため、一方について説明を行い、他方については同一の符号を付すこととする。
【００２６】
既設縦枠４１は、既設枠本体部４１ａ及び取付ヒレ部４１ｂを有している。既設枠本体部４１ａは、見込み方向に沿って延在した平板状を成すものである。既設枠本体部４１ａの室内側に位置する先端縁及び室外側に位置する先端縁には、それぞれ見付け方向に沿って支持ヒレ部４１ｃが設けてある。取付ヒレ部４１ｂは、既設枠本体部４１ａの外周側となる見込み面から延在した平板状部分である。この既設縦枠４１は、取付ヒレ部４１ｂを介して躯体Ｂの室外に臨む見付け面に取り付けてある。図からも明らかなように、取付ヒレ部４１ｂよりも室外側となる部位には、外壁部材Ｗが設けられている。外壁部材Ｗの端面と既設枠本体部４１ａとの間には、水密性を確保するためにシール材Ｓが充填してある。既設枠本体部４１ａよりも室内側に位置する部分には、支持ヒレ部４１ｃに当接するように既設額縁Ｇが取り付けられている。既設額縁Ｇは、建築物の開口において既設縦枠４１よりも室内側となる部分に室内に突出する状態で配設された厚板の平板状部材である。既設額縁Ｇの外周側となる見込み面には、内壁部材Ｋの端面が当接した状態にある。
【００２７】
ここで、見込み方向とは、図中の矢印Ａで示すように、新設建具の奥行きに沿った方向である。見込み方向に沿った面については見込み面と称する。見付け方向とは、新設上枠１１や新設下枠１２のように水平に沿った部材の場合、見込み方向に直交した上下に沿う方向であり、新設縦枠１３のように上下に沿った部材の場合、見込み方向に直交した水平に沿う方向である。見付け方向に沿った面については見付け面と称する。
【００２８】
新設縦枠１３は、図２及び図３の（ａ）に示すように、新設枠本体部１３ａ、第１位置決め部１３ｂ、第２位置決め部１３ｃ及び２つの着座部１３ｄ，１３ｅを有している。新設枠本体部１３ａは、見込み方向に沿って延在した平板状を成すもので、既設枠本体部４１ａよりも大きな延在長さを有するように構成してある。新設枠本体部１３ａにおいて室内側に位置する部分には、外周側に中空部１３ｆが構成してある。中空部１３ｆは、矩形状を成すもので、新設枠本体部１３ａにおいて室内側のほぼ１／２となる部分に設けてある。中空部１３ｆにおいて外周側、かつ室内側となる隅部には、新設枠本体部１３ａに沿って室内側に延在する延長ヒレ部１３ｇが設けてある。
【００２９】
第１位置決め部１３ｂは、新設枠本体部１３ａにおいて中空部１３ｆよりも室外側となる部位から外周に向けて延在したものであり、第２位置決め部１３ｃは、中空部１３ｆの室外に臨む部分から室外側に向けて延在したものである。第１位置決め部１３ｂは、新設枠本体部１３ａから直角となる方向に延在したもので、中間部に段部１３ｈを有している。段部１３ｈは、第１位置決め部１３ｂの延在縁部を室内側に向けて屈曲した後、外周に向けて屈曲することによって構成したものである。第１位置決め部１３ｂの外周側となる縁部には、室外側に向けてほぼ直角に屈曲した係合部１３ｊが設けてある。図からも明らかなように、第１位置決め部１３ｂの新設枠本体部１３ａからの延在距離は、中空部１３ｆの突出寸法に対してほぼ１／２となるように設定してある。第２位置決め部１３ｃは、中空部１３ｆの外周側、かつ室外側となる隅部から室外に向けて延在した後、内周側に向けて屈曲することによって構成してある。第２位置決め部１３ｃの室外側、かつ外周側となる部分には、室外側に向けてほぼ直角に屈曲した係合部１３ｍが設けてある。着座部１３ｄ，１３ｅは、新設枠本体部１３ａの室外側に位置する先端縁部及び第１位置決め部１３ｂと第２位置決め部１３ｃとの間となる部位からそれぞれ外周側に向けてほぼ直角に延在することによって構成してある。着座部１３ｄ，１３ｅの新設枠本体部１３ａからの突出寸法は、第１位置決め部１３ｂの段部１３ｈとほぼ等しくなるように設定してある。
【００３０】
この新設縦枠１３は、内周側に位置する見込み面において室内側となる部分に樹脂製の内枠部材５０が装着された状態で建築物の開口に取り付けられる。より具体的に説明すると、新設枠本体部１３ａの室外側となる縁部の位置が、既設縦枠４１の室外側となる縁部の位置と合致する状態で、新設枠本体部１３ａの中空部１３ｆ及び延長ヒレ部１３ｇがスペーサ５１を介して既設額縁Ｇの内周側となる見込み面に当接される。この状態から内枠部材５０、新設枠本体部１３ａ、中空部１３ｆ、スペーサ５１及び既設額縁Ｇを貫通するように躯体Ｂに取付ネジ５２を螺合することにより、新設縦枠１３が建築物の躯体Ｂに取り付けられることになる。新設枠本体部１３ａの室内側に位置する部分には、中空部１３ｆに当接するように新設額縁Ｇｎが配置され、内枠部材５０を介してネジ５３を螺合することによって新設縦枠１３の延長ヒレ部１３ｇとの間に保持される。新設額縁Ｇｎの室内に臨む見付け面には、既設額縁Ｇ及び内壁部材Ｋの一部を覆うように内装カバーＫｎが設けてある。
【００３１】
一方、新設縦枠１３の室外側となる部位には、アルミニウム合金等の金属から成るカバー部材６０が取り付けてある。カバー部材６０は、互いに長さの異なる短辺部６１及び長辺部６２を有し、これら短辺部６１及び長辺部６２が互いにほぼ直角に延在するように構成したものである。
【００３２】
短辺部６１は、長さの短い板状部分であり、外表面が新設縦枠１３に対向した姿勢で先端縁部を新設縦枠１３の第１位置決め部１３ｂに当接させた場合に長辺部６２が新設縦枠１３よりも室外側となる位置において見付け方向に沿うように構成してある。このとき、短辺部６１は、外表面が第１位置決め部１３ｂの段部１３ｈに当接するとともに、室外側の着座部１３ｄに当接し、新設縦枠１３の新設枠本体部１３ａに対してほぼ平行となるように延在した状態となる。
【００３３】
長辺部６２は、短辺部６１の先端縁部を第１位置決め部１３ｂに当接させた場合に既設縦枠４１を超えて延在し、既設縦枠４１と外壁部材Ｗとの間に充填されたシール材Ｓを覆う長さに構成してある。また、この長辺部６２は、先端縁部を第２位置決め部１３ｃに当接させた場合に短辺部６１が新設縦枠１３よりも室外側となる位置において見付け方向に沿うようにその長さが設定してある。この長辺部６２には、逃げ部６２ａ、屈曲部６２ｂ及び切り取り用の溝６２ｃが設けてある。
【００３４】
逃げ部６２ａは、長辺部６２の中間部に設けた凹状に屈曲した部分であり、図３の（ｂ）に示すように、長辺部６２の先端縁部を第２位置決め部１３ｃに当接させた場合に第１位置決め部１３ｂに対向する部位に設けてある。この逃げ部６２ａは、２つの着座部１３ｄ，１３ｅがそれぞれ長辺部６２の外表面に当接することができるように見込み方向の寸法が設定してあり、このとき第１位置決め部１３ｂの先端縁が逃げ部６２ａに当接することができるように見付け方向の寸法が設定してある。屈曲部６２ｂは、長辺部６２の先端縁部から短辺部６１の延在方向に沿って延在したものである。この屈曲部６２ｂは、２つの着座部１３ｄ，１３ｅがそれぞれ長辺部６２の外表面に当接した場合に、先端縁部が係合部１３ｍに近接して対向することができるように構成してある。屈曲部６２ｂの延在長さは、短辺部６１の延在長さよりも短く構成してある。切り取り用の溝６２ｃは、長辺部６２の内表面に形成した長手方向に沿うＶ字状の細い切欠であり、互いに等間隔となるように複数形成してある。これらの切り取り用の溝６２ｃは、カッター等の切断工具によって長辺部６２の一部を切除する場合のガイドとなるものである。短辺部６１に最も近い位置に形成した切り取り用の溝６２ｃは、短辺部６１までの距離が短辺部６１の延在長さよりも小さくなるように設定してある。
【００３５】
上記のように構成したカバー部材６０は、図２に示すように、短辺部６１の先端縁部を第１位置決め部１３ｂに当接させた状態で新設縦枠１３を介して連結ネジ６３を螺合することにより、新設縦枠１３に取り付けてある。このとき、本実施の形態１では、第１位置決め部１３ｂに係合部１３ｊが設けてあるため、連結ネジ６３を螺合する際にカバー部材６０が外周側に移動することがなく、連結ネジ６３を螺合する作業を容易に行うことが可能となる。カバー部材６０の内表面において連結ネジ６３を螺合した部分及び既設縦枠４１との間となる部位には、それぞれ水密材６４を設けるようにしている。
【００３６】
上述したようにカバー部材６０の長辺部６２は、既設縦枠４１と外壁部材Ｗとの間のシール材Ｓを覆う長さに設定してある。しかも、短辺部６１を介して新設縦枠１３に取り付けたカバー部材６０は、第１位置決め部１３ｂ、着座部１３ｄ及び段部１３ｈに当接することで新設縦枠１３に対して取り付け位置が正確に規定されている。さらに、長辺部６２の先端縁部に屈曲部６２ｂが設けてあり、長辺部６２の延在端縁が外壁部材Ｗに対向した状態となる。従って、室外側から見た場合に、既設縦枠４１が外部に露出することはなく、さらにはカバー部材６０の延在端縁が外部に露出することはなく、新設建具の意匠性を向上させることができるようになる。
【００３７】
しかも、外壁部材Ｗと既設縦枠４１との間にはシール材Ｓが充填してあり、既設縦枠４１とカバー部材６０との間及び連結ネジ６３を螺合する部分に水密材６４を設けるようにしている。これにより、室外側から室内側に水が浸入する事態を招来することなく新設建具を設置することが可能となる。
【００３８】
ところで、上述したカバー部材６０及び新設縦枠１３は、長辺部６２を介してもカバー部材６０を新設縦枠１３に取り付けることができるように構成してある。従って、図４に示すように、既設縦枠４１の一部が外壁部材Ｗによって覆われているような既設建具を対象として新設建具を設置する場合にも、カバー部材６０を切除することなく既設縦枠４１が外部に露出する事態を防止することができる。すなわち、長辺部６２の屈曲部６２ｂが第２位置決め部１３ｃに当接した状態でカバー部材６０を新設縦枠１３に取り付ければ、短辺部６１が新設縦枠１３よりも室外側となる位置において見付け方向に沿って配設されることになり、外壁部材Ｗに干渉することなく既設縦枠４１を覆うことが可能となる。この場合においても、第１位置決め部１３ｂが逃げ部６２ａに対向し、かつ２つの着座部１３ｄ，１３ｅが長辺部６２の外表面に当接するため、新設縦枠１３に対してカバー部材６０が正確に取り付けられることになる。また、長辺部６２の屈曲部６２ｂが第２位置決め部１３ｃの係合部１３ｍに当接するため、カバー部材６０が外周側に移動することがなく、連結ネジ６３を螺合する際の作業を容易に行うことが可能である。
【００３９】
（実施の形態２）
図５は、本発明の実施の形態２である新設建具の縦枠部分を示したものである。ここで例示する新設建具は、実施の形態１と同様、建築物の開口に残された既設建具の既設枠体に対してその内周に設置される改装用のものであり、実施の形態１とは新設縦枠１１３に設けた第２位置決め部１１３ｃ及びカバー部材１６０における長辺部１６２の構成が異なっている。以下、実施の形態１と異なる部分について主に説明し、実施の形態１と同様の構成については同一の符号を付すこととする。また、見込み方向、見込み面、見付け方向及び見付け面の定義についても実施の形態１と同様である。
【００４０】
新設縦枠１１３の第２位置決め部１１３ｃは、図５及び図６の（ａ）に示すように、新設枠本体部１３ａにおいて室内側の着座部１３ｅと中空部１３ｆとの間となる部位から直角方向に延在することによって構成してある。第２位置決め部１１３ｃの外周側となる部位には、室外側に向けてほぼ直角に屈曲した係合部１１３ｍが設けてある。図からも明らかなように、実施の形態２の第２位置決め部１１３ｃにおいても、新設枠本体部１３ａからの延在距離が第１位置決め部１３ｂよりも大きくなるように設定してある。
【００４１】
カバー部材１６０の長辺部１６２は、短辺部６１の先端縁部を第１位置決め部１３ｂに当接させた場合に既設縦枠４１を超えて既設縦枠４１と外壁部材Ｗとの間に充填されたシール材Ｓを覆う長さに構成してある。この長辺部１６２には、逃げ部１６２ａ及び屈曲部１６２ｂが設けてある。
【００４２】
逃げ部１６２ａは、長辺部１６２の基端側となる部分に対して先端側が内方側となるように屈曲させることにより構成したものである。具体的には、図６の（ｂ）に示すように、長辺部１６２の基端側となる部分を室外側の着座部１３ｄに当接させた場合に、長辺部１６２の先端側となる部分全体が第１位置決め部１３ｂの先端縁部に当接する位置となるように形成してある。屈曲部１６２ｂは、長辺部１６２の先端縁部から短辺部６１の延在方向に沿って延在したものである。この屈曲部１６２ｂは、２つの着座部１３ｄ，１３ｅがそれぞれ長辺部１６２の外表面に当接した場合に、先端縁部が係合部１１３ｍに近接して対向することができるように構成してある。屈曲部１６２ｂの延在長さは、短辺部６１の延在長さよりも短く構成してある。
【００４３】
上記のように構成したカバー部材１６０は、図５に示すように、短辺部６１の先端縁部を第１位置決め部１３ｂに当接させた状態で新設縦枠１１３を介して連結ネジ６３を螺合することにより、新設縦枠１１３に取り付けてある。本実施の形態２においても、第１位置決め部１３ｂに係合部１３ｊが設けてあるため、連結ネジ６３を螺合する際にカバー部材１６０が外周側に移動することがなく、連結ネジ６３を螺合する作業が容易となる。カバー部材１６０の内表面において連結ネジ６３を螺合した部分及び既設縦枠４１との間となる部位には、それぞれ水密材６４を設けるようにしている。
【００４４】
上述したようにカバー部材１６０の長辺部１６２は、既設縦枠４１と外壁部材Ｗとの間のシール材Ｓを覆う長さに設定してある。しかも、短辺部６１を介して新設縦枠１１３に取り付けたカバー部材１６０は、第１位置決め部１３ｂ、着座部１３ｄ及び段部１３ｈに当接することで新設縦枠１１３に対して取り付け位置が正確に規定されている。さらに、長辺部１６２の先端縁部に屈曲部１６２ｂが設けてあり、長辺部１６２の延在端縁が外壁部材Ｗに対向した状態となる。従って、室外側から見た場合に、既設縦枠４１が外部に露出することはなく、さらにはカバー部材１６０の延在端縁が外部に露出することはなく、新設建具の意匠性を向上させることができるようになる。
【００４５】
しかも、外壁部材Ｗと既設縦枠４１との間にはシール材Ｓが充填してあり、既設縦枠４１とカバー部材１６０との間及び連結ネジ６３を螺合する部分に水密材６４を設けるようにしている。これにより、室外側から室内側に水が浸入する事態を招来することなく新設建具を設置することが可能となる。
【００４６】
本実施の形態２のカバー部材１６０及び新設縦枠１１３についても、長辺部１６２を介してカバー部材１６０を新設縦枠１１３に取り付けることができるように構成してある。従って、図７に示すように、既設縦枠４１の一部が外壁部材Ｗによって覆われているような既設建具を対象として新設建具を設置する場合にも、カバー部材１６０を切除する作業を要することなく既設縦枠４１が外部に露出する事態を防止することが可能である。すなわち、長辺部１６２の屈曲部１６２ｂが第２位置決め部１１３ｃに当接した状態でカバー部材１６０を新設縦枠１１３に取り付ければ、短辺部６１が新設縦枠１１３よりも室外側となる位置において見付け方向に沿って配設されることになり、外壁部材Ｗに干渉することなく既設縦枠４１を覆うことが可能となる。この場合においても、長辺部１６２の先端縁部が第２位置決め部１１３ｃの係合部１１３ｍに当接するため、連結ネジ６３を螺合する際の作業を容易に行うことが可能である。
【００４７】
（実施の形態３）
図８は、本発明の実施の形態３である新設建具の縦枠部分を示したものである。ここで例示する新設建具は、実施の形態１と同様、建築物の開口に残された既設建具の既設枠体に対してその内周に設置される改装用のものであり、実施の形態１とは新設縦枠２１３に設けた第２位置決め部２１３ｃ及びカバー部材２６０における長辺部２６２の構成が異なっている。以下、実施の形態１と異なる部分について主に説明し、実施の形態１と同様の構成については同一の符号を付すこととする。また、見込み方向、見込み面、見付け方向及び見付け面の定義についても実施の形態１と同様である。
【００４８】
新設縦枠２１３の第２位置決め部２１３ｃは、図８及び図９の（ａ）に示すように、新設枠本体部１３ａにおいて室内側の着座部１３ｅと中空部１３ｆとの間となる部位から直角方向に延在したもので、中間部に段部２１３ｈを有している。段部２１３ｈは、室内側に向けて屈曲した後、外周に向けて屈曲することによって構成したものである。第２位置決め部２１３ｃの外周側となる縁部には、室外側に向けてほぼ直角に屈曲した係合部２１３ｍが設けてある。図からも明らかなように、第２位置決め部２１３ｃの新設枠本体部１３ａからの延在距離は、第１位置決め部１３ｂの新設枠本体部１３ａからの延在距離と同一である。また、第２位置決め部２１３ｃの段部２１３ｈは、第１位置決め部１３ｂの段部１３ｈと同様、着座部１３ｄ，１３ｅの新設枠本体部１３ａからの突出寸法とほぼ等しくなるように設定してある。
【００４９】
カバー部材２６０の長辺部２６２は、短辺部６１の先端縁部を第１位置決め部１３ｂに当接させた場合に既設縦枠４１を超えて既設縦枠４１と外壁部材Ｗとの間に充填されたシール材Ｓを覆う長さに構成してある。この長辺部２６２には、逃げ部２６２ａ及び屈曲部２６２ｂが設けてある。
【００５０】
逃げ部２６２ａは、長辺部２６２の中間部に設けた凹状に屈曲した部分であり、図９の（ｂ）に示すように、長辺部２６２の先端縁部を第２位置決め部２１３ｃに当接させた場合に第１位置決め部１３ｂに対向する部位に設けてある。この逃げ部２６２ａは、２つの着座部１３ｄ，１３ｅ及び段部２１３ｈがそれぞれ長辺部２６２の外表面に当接することができるように見込み方向の寸法が設定してあり、このとき第１位置決め部１３ｂの先端縁が逃げ部２６２ａに当接することができるように見付け方向の寸法が設定してある。屈曲部２６２ｂは、長辺部２６２の先端縁部から短辺部６１の延在方向に沿って延在したもので、第２位置決め部２１３ｃにおいて段部２１３ｈと係合部２１３ｍとの間に配置できる寸法に構成してある。この屈曲部２６２ｂは、２つの着座部１３ｄ，１３ｅをそれぞれ長辺部２６２の外表面に当接した場合に、先端縁部が係合部２１３ｍに近接して対向することができるように構成してある。
【００５１】
上記のように構成したカバー部材２６０は、図８に示すように、短辺部６１の先端縁部を第１位置決め部１３ｂに当接させた状態で新設縦枠２１３を介して連結ネジ６３を螺合することにより、新設縦枠２１３に取り付けてある。本実施の形態３では、第１位置決め部１３ｂに係合部２１３ｍが設けてあるため、連結ネジ６３を螺合する際にカバー部材２６０が外周側に移動することがなく、連結ネジ６３を螺合する作業が容易となる。カバー部材２６０の内表面において連結ネジ６３を螺合した部分及び既設縦枠４１との間となる部位には、それぞれ水密材６４を設けるようにしている。
【００５２】
上述したようにカバー部材２６０の長辺部２６２は、既設縦枠４１と外壁部材Ｗとの間のシール材Ｓを覆う長さに設定してある。しかも、短辺部６１を介して新設縦枠２１３に取り付けたカバー部材２６０は、第１位置決め部１３ｂ、着座部１３ｄ及び段部１３ｈに当接することで新設縦枠２１３に対して取り付け位置が正確に規定される。さらに、長辺部２６２の先端縁部に屈曲部２６２ｂが設けてあり、長辺部２６２の延在端縁が外壁部材Ｗに対向した状態となる。従って、室外側から見た場合に、既設縦枠４１が外部に露出することはなく、さらにはカバー部材２６０の延在端縁が外部に露出することはなく、新設建具の意匠性を向上させることができるようになる。
【００５３】
しかも、外壁部材Ｗと既設縦枠４１との間にはシール材Ｓが充填してあり、既設縦枠４１とカバー部材２６０との間及び連結ネジ６３を螺合する部分に水密材６４を設けるようにしている。これにより、室外側から室内側に水が浸入する事態を招来することなく新設建具を設置することが可能となる。
【００５４】
本実施の形態３のカバー部材２６０及び新設縦枠２１３についても、長辺部２６２を介してカバー部材２６０を新設縦枠２１３に取り付けることができるように構成してある。従って、図１０に示すように、既設縦枠４１の一部が外壁部材Ｗによって覆われているような既設建具を対象として新設建具を設置する場合にも、カバー部材２６０を切除する作業を要することなく既設縦枠４１が外部に露出する事態を防止することが可能である。すなわち、長辺部２６２の屈曲部２６２ｂが第２位置決め部２１３ｃに当接した状態でカバー部材２６０を新設縦枠２１３に取り付ければ、短辺部６１が新設縦枠２１３よりも室外側となる位置において見付け方向に沿って配設されることになり、外壁部材Ｗに干渉することなく既設縦枠４１を覆うことが可能となる。この場合においても、第１位置決め部１３ｂが逃げ部２６２ａに対向し、かつ２つの着座部１３ｄ，１３ｅ及び段部２１３ｈが長辺部２６２の外表面に当接するため、新設縦枠２１３に対してカバー部材２６０が正確に取り付けられることになる。また、長辺部２６２の屈曲部２６２ｂが第２位置決め部２１３ｃの係合部２１３ｍに当接するため、カバー部材２６０が外周側に移動することがなく、連結ネジ６３を螺合する際の作業を容易に行うことが可能である。
【００５５】
なお、上述した実施の形態１〜実施の形態３では、引き違い窓を例示しているが、その他の建具にも適用することが可能である。また、縦枠についてのみ説明しているが、上枠や下枠に適用してももちろん良い。
【符号の説明】
【００５６】
１０  新設枠体、１３，１１３，２１３  新設縦枠、１３ｂ  第１位置決め部、１３ｃ，１１３ｃ，２１３ｃ  第２位置決め部、１３ｊ，１３ｍ，１１３ｍ，２１３ｍ  係合部、４０  既設枠体、４１  既設縦枠、６０，１６０，２６０  カバー部材、６１  短辺部、６２，１６２，２６２  長辺部、６２ａ，１６２ａ，２６２ａ  逃げ部、６２ｂ，１６２ｂ，２６２ｂ  屈曲部、６２ｃ  切り取り用の溝
【図１】
2018178575.tif 000003
【図２】
2018178575.tif 000004
【図３】
2018178575.tif 000005
【図４】
2018178575.tif 000006
【図５】
2018178575.tif 000007
【図６】
2018178575.tif 000008
【図７】
2018178575.tif 000009
【図８】
2018178575.tif 000010
【図９】
2018178575.tif 000011
【図１０】
2018178575.tif 000012